(57)【要約】【課題】取付具を所望の位置に取付け、取付具に電気機器を仮止めし、その仮止位置から電気機器を所望位置及び所望角度に移動させて固定することができる取付装置を提供する。【解決手段】取付具は、天井面または壁面に取付けるための取付面と、前記取付面の両側を電気機器の幅に対応する間隔で折り曲げて形成した折曲片とを有する。前記取付面は、取付具を天井面または壁面に取付けるためのネジ穴を備える。前記折曲片は、電気機器の取付ボルトが移動する溝と、前記溝に連続する部分にある仮止め部分と、電気機器の取付部分を備える。【選択図】図１
2013026054.tif 000002
【特許請求の範囲】
【請求項１】
天井面または壁面に取付けるための取付面と、
前記取付面の両側を電気機器の幅に対応する間隔で折り曲げて形成した折曲片と
を有する取付具を備え、
前記取付面に取付具を天井面または壁面に取付けるためのネジ穴を設け、
前記折曲片に電気機器の取付ボルトが移動する溝と、前記溝に連続する部分に仮止部分と、電気機器の取付部分を設ける
ことを特徴とする電気機器の取付装置。
【請求項２】
前記仮止部分は、折曲片の先端側に配置し、前記取付部分は仮止部分と取付面との間に配置した請求項１に記載の電気機器の取付装置。
【請求項３】
前記取付部分を複数備える請求項１または２に記載の電気機器の取付装置。
【請求項４】
前記取付部分は、前記溝の下側に位置する請求項１から３までのいずれか１項に記載の電気機器の取付装置。
【請求項５】
前記溝は、折曲片の先端側に開口部を有する請求項１から４までのいずれか１項に記載の電気機器の取付装置。
【請求項６】
前記開口部は、前記仮止部分より上方に位置する請求項１から５までのいずれか１項に記載の電気機器の取付装置。
【請求項７】
前記溝は、取付部分の中心線に並行に配置され、仮止部分と取付部分との間では、溝を形成する一方の溝縁は、仮止部分の下側縁に向かって傾斜している請求項１から６までのいずれか１項に記載の電気機器の取付装置。
【請求項８】
前記電気機器は、側壁に形成した透孔に取付ボルトを挿入して、その先端に板ナットを緩く止め、前記折曲片を取付ボルトと板ナットの間に挿入して締付ける請求項１から７までのいずれか１項に記載の電気機器の取付装置。
【請求項９】
前記電気機器は、前面に少なくとも９０度以上に回転可能な銘板を有する請求項１から８までのいずれか１項に記載の電気機器の取付装置。
【請求項１０】
前記電気機器は、側壁に取付ボルトを備え、取付ボルトを前記開口部から挿入して、折曲片の仮止部分に電気機器を仮止めし、電気機器を仮止部分から取付部分に移動させて取付ボルトを締付ける請求項１から９までのいずれか１項に記載の電気機器の取付装置。
【発明の詳細な説明】
【技術分野】
【０００１】
本発明は、電気機器の取付装置に関し、特に電気機器を天井面または壁面に取付けるための装置に関する。
【背景技術】
【０００２】
スピーカ、照明器具、監視カメラ、警報機または換気扇のような電気機器を天井面または壁面に取付ける場合、まず天井面または壁面に取付具を取付け、その取付具に電気機器が取付けられる。取付具を天井面または壁面に取付ける作業は、取付具の取付穴に取付ネジを通して、天井又は壁面に取付ネジを締付けることができるので、取付作業は比較的容易である。しかし、その取付金具に電気機器を取付ける作業は、取付具と電気機器を位置合わせし、その状態で複数箇所をボルトで締付け、固定しなければならないので、作業は容易でない。特に、体裁上、取付具が露出しないように電気機器に隠れる構造の場合は、位置合わせが困難である。また、電気機器の取付位置及び角度を調整可能にするためには、複雑な取付具を使用する必要があり、また複雑な取付作業を行わなければならない。
このような問題を解決するため、例えば、特許文献１が公知である。特許文献１は、蛍光灯器具本体の側板に、その下方より取付ネジが挿入可能で、かつ係止端で取付ネジを保持する略Ｕ字溝を設け、反射板には両側に取付ネジを設け、略Ｕ字溝の係止端で取付ネジに化粧ナットを螺着して、反射板を側板に固定するものである。
【先行技術文献】
【特許文献】
【０００３】
【特許文献１】特開２００８−３００２３０号公報
【発明の概要】
【発明が解決しようとする課題】
【０００４】
特許文献１により、反射板を器具本体の側板に保持させて、取付ネジにより固定することができる。しかしながら、更に電気機器を容易に取付け、またその取付位置及び取付角度が調整できる取付装置が望まれている。
本発明は、このような要望に対応するため、取付具を所望の位置に取付け、その後、取付具に電気機器を仮止めし、その仮止位置から電気機器を所望の位置及び所望角度に移動させて固定することができる取付装置を提供するものである。
【課題を解決するための手段】
【０００５】
本発明の取付装置は、上記課題を解決するものであり、天井面または壁面に取付けるための取付面と、前記取付面の両側に電気機器の幅に対応する間隔で折り曲げて形成した折曲片とを有する取付具を備え、前記取付面に取付具を天井面または壁面に取付けるためのネジ穴を設け、前記折曲片に電気機器の取付ボルトが滑らかに移動するために湾曲した溝と、前記溝に連続した仮止部分と、電気機器の取付部分を設けたことを特徴とする。
これにより、取付具を所望の位置に取付けて電気機器の取付位置を決めることができる。そして、取付具の仮止部分に電気機器を仮止めするので、簡単な作業により、電気機器を仮止めすることができる。このようにして、仮止めした位置から取付部分に電気機器を移動させて固定するので、ボルトの締付作業は容易に行うことができる。更に、ボルトの締付作業の際に、電気機器を所望角度に調整すれば、電気機器を所望角度に設置することができる。
【０００６】
また、本発明の取付装置は、実施形態において、仮止部分は折曲片の先端側に配置し、取付部分は仮止部分と取付面との間に配置することが好ましい。これにより、仮止部分は、取付具が取付けられている天井面または壁面から遠い位置にあるので、仮止部分に電気機器を仮止めする作業を容易に行うことができる。
【０００７】
また、本発明の取付装置は、実施形態において、前記取付部分を複数備えることが好ましい。これにより、電気機器は天井面または壁面に近い位置及び天井面または壁面から離れた位置を選択することができ、取付可能範囲を多くすることができる。また、天井面または壁面から離れるほど、電気機器の取付角度を大きく変化させることが可能になり、より広い角度で調整することができる。
【０００８】
また、本発明の取付装置は、実施形態において、前記取付部分は、前記溝の下側に備えることが好ましい。これにより、電気機器を仮止部分から取付部分へ移動させる場合、電気機器を仮止部分で持ち上げて溝内を滑らせるように取付部分へ移動させればよいので、電気機器の取付部分への移動が容易になる。
【０００９】
また、本発明の取付装置は、実施形態において、前記溝は折曲片の先端側に開口部を有することが好ましい。これにより、取付具に電気機器を仮止めする場合、開口部より滑り込ませて仮止位置へ取付けることができるので、仮止作業を容易に行うことができる。
【００１０】
また、本発明の取付装置は、実施形態において、前記開口部は、前記仮止部分より上方に位置することが好ましい。これにより、電気機器を開口部より滑り込ませて仮止部分に仮止めし、安定に保持することができる。この仮止め状態で手を離しても電気機器は安定に保持され、取付時の落下防止することができる。また、次の取付作業を容易に行うことができる。
【００１１】
また、本発明の取付装置は、実施形態において、前記溝が取付部分の中心線に並行に配置され、仮止部分と取付部分との間では、溝を形成する。一方の溝縁は、仮止部分の下側縁に向かって傾斜していることが好ましい。これにより、仮止部分から取付部分へ傾斜を利用してスムーズに移動させることができる。
【００１２】
また、本発明の取付装置は、実施形態において、前記電気機器は、側壁に形成した透孔に取付ボルトを挿入してその先端に板ナットを緩く止め、前記折曲片を取付ボルトと板ナットの間に挿入して締付けることが好ましい。これにより、電気機器の取付状態において、取付ボルト、板ボルト及び取付装置が外観上見えなくなり、体裁がよくなる。
【００１３】
また、本発明の取付装置は、実施形態において、前記電気機器は、前面に少なくとも９０度以上に回転可能な銘板を有することが好ましい。これにより、天井又は壁面に電気機器を取付けた際、その取付方向に応じて、銘板を回転させることができ、電気機器の取付方向と銘板の方向を一致させることができる。
【００１４】
また、本発明の取付装置は、実施形態において、前記電気機器は、側壁に取付ボルトを備え、取付ボルトを前記開口部から挿入して、折曲片の仮止部分に電気機器を仮止めし、電気機器を仮止部分から取付部分に移動させて取付ボルトを締付けることが好ましい。これにより、電気機器を仮止位置に安定に保持し、取付位置に所望の角度に調整して確実に固定することができる。
【発明の効果】
【００１５】
本発明によれば、取付具を所望の位置に取付けて電気機器の取付位置を決めることができる。また、本発明の取付装置は、取付具の仮止部分に電気機器を仮止めするので、簡単な作業により電気機器を仮止めすることができる。このようにして、仮止めした位置から取付部分に移動させて電気機器を固定するので、その移動距離は短く、容易にボルトの締付作業を行うことができる。更に、ボルトの締付作業の際にも、仮止位置に電気機器を安定に保持することができ、取付時の落下防止とともに、次の取付作業を容易に行うことができる。更に、ボルトの締付作業の際に、電気機器を所望角度に調整すれば、電気機器を所望角度に設置することができる。
【図面の簡単な説明】
【００１６】
【図１】本発明の取付装置に使用される取付具の斜視図を示す。
【図２】本発明の取付装置に使用される取付具の側面図を示す。
【図３】本発明の取付装置によって、天井面に電気機器を仮止めした状態を示す斜視図であり、電気機器の底面側から見た図である。
【図４】本発明の取付装置によって、天井面に電気機器を取付けた状態を示す斜視図であり、電気機器の底面側から見た図である。
【図５】本発明の取付装置によって、壁面に電気機器を取付ける場合の取付具の側面図を示す。
【図６】本発明の取付装置によって、電気機器を取付けた場合の電気機器の一部分解斜視図であり、正面側から見た図である。
【図７】本発明の取付装置によって、電気機器を取付けた場合の電気機器の一部分解斜視図であり、背面側から見た図である。
【発明を実施するための形態】
【００１７】
本発明の取付装置は、天井面または壁面に取付けるための取付面と、前記取付面の両側を電気機器の幅に対応する間隔で折り曲げて形成した折曲片とを有する取付具によって構成される。ここで、前記取付面は、取付具を天井面または壁面に取付けるためのネジ穴を備え、取付ネジをネジ穴に通して天井面または壁面に締付けることにより、取付具を天井面または壁面の所望位置に固定することができる。また前記折曲片は、電気機器の取付ボルトが移動する溝と、前記溝に連続して仮止部分と、電気機器の取付部分を備え、電気機器の取付けの際には、まず電気機器に取付けたボルトを溝に通して、仮止部分に仮止めする。次に、電気機器を所望の取付部分に移動させて、取付ボルトを締付け固定する。
【００１８】
本発明において使用される取付具は、電気機器を支持し、固定することが可能な材質であり、例えば、金属製、又は樹脂製であり、これらの剛性によって電気機器を支持する。
また、電気機器は、例えば、スピーカ、照明器具、監視カメラ、インターホンまたは人感センサー、警報機、換気扇などを指すが、これら以外であってもよい。
また、仮止部分は、電気機器を所望位置及び所望角度で取付け、固定する前に一時的に電気機器を保持する部分である。しかし、この仮止部分に電気機器を所望位置及び所望角度で取付けてもかまわない。
【００１９】
以下に図を参照して、本発明の取付装置を説明する。
図１は、本発明の本発明の取付装置に使用される取付具の斜視図を示す。本発明の取付装置は、主として取付具１０によって構成される。取付具１０は金属製又は樹脂製である。取付具１０は、天井面または壁面に取付けるための取付面１１と、前記取付面の両側を電気機器の幅に対応する間隔で折り曲げて形成した折曲片１２および１３とを有する。厳密には、折曲片１２と１３の間隔は、電気機器の側板の厚さ分だけ短く形成され、折曲片１２及び１３は、側板の内側に隠れるようになっている。取付面１１と、折曲片１２および１３は一体的に構成されていることが望ましい。折曲片１２および１３は同形状に形成される。
前記取付面１１は、取付具１０を天井面または壁面に取付けるためのネジ穴１１ａを備える。ネジ穴１１ａは、２つ以上必要であり、好ましくは図示のように中央に１つと、その両側に２つの計３つである。両側のネジ穴は、少なくとも一方を取付角度調整用に長穴にするとよい。
【００２０】
前記折曲片１２および１３は、電気機器の取付ボルトの軸が移動する溝１２ａ、１３ａと、前記溝１２ａ、１３ａに連続する部分に仮止部分１２ｂ、１３ｂと、電気機器の取付部分１２ｃ、１３ｃを備える。溝１２ａ、１３ａは、電気機器を固定するための取付ボルトが移動できる程度の幅、即ち、取付ボルト軸部の直径以上の幅を有することが好ましい。図２に示すように、仮止部分１２ｂ及び１３ｂと、取付部分１２ｃ及び１３ｃの中心を結ぶ中心線は、折曲片１２、１３の中心線にほぼ一致し、溝１２ａ、１３ａの中心線は、折曲片１２、１３の中心線より外れ、上側にある。そして、溝１２ａ、１３ａの中心線は、仮止部分１２ｂ及び１３ｂと、取付部分１２ｃ、１３ｃの中心を結ぶ中心線に並行に配置されるが、仮止部分１２ｂ及び１３ｂと、取付部分１２ｃ及び１３ｃとの間では、溝１２ａ、１３ａを形成する一方の溝縁は、仮止部分１２ｂ、１３ｂの下側縁に向かって傾斜している。
【００２１】
また、取付具１０は、図１及び図２に示すように、仮止部分１２ｂ、１３ｂを折曲片１２および１３の先端側に配置し、取付部分１２ｃ、１３ｃを仮止部分１２ｂ、１３ｂと取付面１１との間に配置している。
【００２２】
また、前記取付部分１２ｃ、１３ｃは、それぞれ２つ備えている。前記取付部分の個数に制限はないが、多くすると、折曲片１２および１３が長くなり、少なくすると、取付位置の選択自由度が少なくなる。
【００２３】
また、前記溝１２ａ、１３ａは、折曲片の先端側に開口部１２ｄ、１３ｄを有する。前記開口部１２ｄ、１３ｄは、取付具１０を天井面に取付けた状態において、下向きに開口するよう形成される。また、取付具１０が壁面に取付けられた状態において、仮止部分１２ｂ、１３ｂより上側に位置するよう形成される。
【００２４】
また、仮止部分１２ｂ、１３ｂは１つでもよいが、取付部分１２ｃ、１３ｃはそれぞれ２つ以上有することが好ましい。ここでは、仮止部分１２ｂ、１３ｂと、取付部分１２ｃ、１３ｃを分けているが、仮止部分１２ｂ、１３ｂに電気機器を取付け、固定してもかまわない。
【００２５】
次に、本発明の取付装置の取付手順を説明する。
図３は、本発明の取付装置によって電気機器を仮止部分に仮止めした状態を示す斜視図であり、天井を透視して、電気機器の底面側から見た図である。図４は、本発明の取付装置によって電気機器を取付部分に取付けた状態（天井は透視）を示す斜視図であり、電気機器の底面側から見た図である。
図１、図２、図３及び図４は、電気機器を天井面に取付ける場合を示す。
まず、取付具１０を天井の所望の取付位置に、ネジ（図示しない）によって固定する。取付具１０は、取付面１１が天井に取付けられるので、折曲片１２及び１３に形成した開口部１２ｄ及び１３ｄは天井から下側に開口する。
【００２６】
一方、電気機器２０の側壁２１、２２に形成した透孔（図示しない）に取付ボルト２５、２６を挿入する。電気機器２０は、スピーカ、照明器具、カメラ、インターホンまたは人感センサーなどであるが、これら以外の電気機器であってもかまわない。
【００２７】
この実施形態では、電気機器２０は、図６及び図７に示すように、底板２７の側壁２１、２２の近傍に板ナット挿入部３１、３２を形成しているので、板ナット挿入部３１、３２に板ナット３３、３４を挿入し、取付ボルト２５、２６の先端部分を板ナット３３、３４に緩く止める。即ち、取付ボルト２５、２６と板ナット３３、３４の間に、折曲部１２、１３が挿入できる隙間ができるように緩く止める。このように、電気機器２０の底板２７に形成した板ナット挿入部３１、３２に、取付ボルト２５、２６及び板ナット３３、３４を挿入するので、電気機器の取付状態において、取付ボルト２５、２６、板ナット３３、３４及び取付装置１０が外観上見えなくなり、体裁がよくなる。
【００２８】
次に、図３に示すように、折曲片１２及び１３に形成した開口部１２ｄ及び１３ｄより溝１２ａ、１３ａに、取付ボルト２５、２６の軸部分を挿入し、折曲片１２及び１３の仮止部分１２ｂ、１３ｂに仮止めする。仮止部分１２ｂ、１３ｂの突起部により、開口部１２ｄ、１３ｄに落ちることなく、仮止め位置で手を離しても電気機器は仮止め位置で保持され、落下することはない。
【００２９】
次に、電気機器２０を仮止部分１２ｂ、１３ｂより溝１２ａ、１３ａを滑らせて、取付部分１２ｃ、１３ｃまで移動させ、電気機器２０の向きを調整して、取付ボルト２５、２６を締付け、固定する（図４参照）。電気機器２０を取付部分１２ｃ、１３ｃへ移動させる際は、右側または左側の一方を取付部分１２ｃまたは１３ｃへ移動させて、緩く止め、次に他方の側を取付部分１２ｃまたは１３ｃへ移動させて止め、電気機器２０の向きを調整して、最後に取付ボルト２５、２６を締付けて固定する。
あるいは、電気機器２０の両側を同時に取付部分１２ｃ、１３ｃへ移動させ、電気機器２０の向きを調整して、右側または左側の取付ボルト２５、２６を順次締付け、固定する。
【００３０】
以上は、天井面に電気機器を取付ける場合であるが、壁面に取付ける場合は、次のようにして取付ける。
まず、取付具１０を壁面の所望の取付位置に、ネジ（図示しない）によって固定する。ここで、取付具１０を壁面に取付ける方向は、図５に示すように、開口１２ｄ、１３ｄが仮止部分１２ｂ及び１３ｂと、取付部分１２ｃ及び１３ｃより上方に位置するように配置し、電気機器を横向きに取付ける場合は、取付具を水平方向に取付ける。電気機器を垂直方向に取付ける場合は、開口１２ｄ、１３ｄが下向きになるように取付具１０を垂直方向に取付ける。
電気機器２０を仮止部分１２ｂ及び１３ｂに仮止めし、取付ボルト２５、２６によって締付け、固定する様子は図３及び図４に示した通りである。
【００３１】
本発明の取付装置は、電気機器を天井又は壁面に取付けることができ、特に、壁面に取付ける場合は、電気機器を水平方向又は垂直方向に取付けることができる。その場合、電気機器の正面に取付けられている銘板は、電気機器の取付け方向に合わせて銘板を回転させるのが望ましい。そのため、本発明の取付装置は、図６及び図７に示すように、電気機器２０の正面板４１の中央部分に円盤状の銘板４２を配置し、銘板４２に中心軸４３を取付ける。中心軸４３は電気機器内部に延長させ、先端部にコイルバネ４４を取付け、銘板４２は少なくとも９０度以上に回転可能にする。
このように、銘板は電気機器に取付けられているので、電気機器を本発明の取付装置によって取付けた後、銘板４２を引っ張り出し、銘板４２の方向と、電気機器の取付け方向が一致するように回転させ、位置合わせする。そして、銘板４２を電気機器に固定すると、電気機器の取付け方向と、銘板の方向が一致する。
【符号の説明】
【００３２】
１０  取付具
１１  取付面
１２、１３  折曲片
１２ａ、１３ａ  溝
１２ｂ、１３ｂ  仮止部分
１２ｃ、１３ｃ  取付部分
２０  電気機器
２５、２６  取付ボルト
２７  底板
３０、３１  板ナット挿入部
３３、３４  板ナット
４２  銘板
【図１】
2013026054.tif 000003
【図２】
2013026054.tif 000004
【図３】
2013026054.tif 000005
【図４】
2013026054.tif 000006
【図５】
2013026054.tif 000007
【図６】
2013026054.tif 000008
【図７】
2013026054.tif 000009